(57)【要約】【課題】  本発明は、乳幼児の移動に不可欠なオムツ・授乳具等の乳幼児用備品の一切を収納できる携行バックとして、またオムツ替え時に用いるシートマットやレジャーシート等の敷物として使用でき、災害時には、乳幼児を守ることのできる防護シートに変身できる乳幼児保護シートを提供する。【解決手段】  本発明の乳幼児保護シートは、略円形のシート本体１と、この円形シート本体１の一定幅の外周縁から内側に張り出し状に形成されたフード２とからなり、シート本体１の全周縁に沿って本体部紐体内包路３が形成され、この本体部紐体内包路３に内包された紐体４の一部が、フード２を略等分するシート本体１の中心を通る軸線を挟んで、シート本体１の左右の周縁部で外側に露出し、取手５をなし構成である。【選択図】  図１
2007259894.tif 000002
【特許請求の範囲】
【請求項１】
略円形のシート本体と、この円形シート本体の一定幅の外周縁から内側に張り出し状に形成されたフードとからなり、前記シート本体の全周縁に沿って本体部紐体内包路が形成され、この本体部紐体内包路に内包された紐体の一部が、前記フードを略等分する前記シート本体の中心を通る軸線を挟んで、シート本体の左右の周縁部で外側に露出し、取手をなしていることを特徴とする乳幼児用保護シート。
【請求項２】
フードの開口縁部に沿ってフード部紐内包路が形成され、このフード部紐内包路にフード絞り紐を通してなる請求項１に記載の乳幼児用保護シート。
【請求項３】
円形シート本体及びフードの外表面が防火機能を有する材料で形成されてなる請求項１に記載の乳幼児用保護シート。
【発明の詳細な説明】
【技術分野】
【０００１】
本発明は、乳幼児用の必需品を収納する携行バックとして、乳児の授乳時・オムツ替え時等に使用できる敷物として、負んぶ時に乳幼児に羽織る亀の子半纏として、それぞれ使用でき、さらには大地震等の突発性災害が生じた場合には、災害から乳幼児を防護することができる乳幼児保護シートに関する。
【背景技術】
【０００２】
近年、大地震等の災害に備える防災グッズとして、防災頭巾、防災用備品を収納した携帯袋等、数多くの防災備品が製造、販売されているが、これらはいずれも成人向けのものが殆どであり、乳幼児、特に乳児用のものは殆ど見当たらない。
しかし、一度、大地震等の突発性災害が発生し避難する場合において、最も弱者であり足手まといになりやすく、かつ世話を要する乳幼児用の防災グッズの必要性は言うまでもない。
【発明の開示】
【発明が解決しようとする課題】
【０００３】
本発明の課題は、上記の点に鑑みなされたもので、通常は、乳幼児の移動に不可欠なオムツ・授乳具等の乳幼児用備品の一切を収納できる携行バックとして、またオムツ替え時に用いるシートマットや屋外で遊ばせる場合のレジャーシート等の敷物として使用でき、災害時には、乳幼児を守ることのできる防護シートに変身できる乳幼児保護シートを提供することにある。
【課題を解決するための手段】
【０００４】
本発明の乳幼児保護シートは、略円形のシート本体と、この円形シート本体の一定幅の外周縁から内側に張り出し状に形成されたフードとからなり、前記シート本体の全周縁に沿って本体部紐体内包路が形成され、この本体部紐体内包路に内包された紐体の一部が、前記フードを略等分する前記シート本体の中心を通る軸線を挟んで、シート本体の左右の周縁部で外側に露出し、取手をなした構成である。
本発明の乳幼児保護シートには、フードの開口縁部に沿ってフード部紐内包路を形成し、このフード部紐内包路にフード絞り紐を通すようにしてもよく、また、円形シート本体及びフードの外表面を防火機能を有する材料で形成するようにしてもよい。
【発明の効果】
【０００５】
本発明の乳幼児保護シートによれば、通常は、乳幼児必需品の携行バックとして、また乳児の授乳時・オムツ代え時等に使用できるシートマット等の敷物として、さらには負んぶ時に乳幼児に羽織る亀の子半纏としてそれぞれ使用でき、大地震等の突発性災害が生じた場合には、災害から乳幼児を安全に保護し避難できる保護シートに変身させることができる。
【発明を実施するための最良の形態】
【０００６】
次に、図面を用いて本発明を詳細に説明する。
図１は、本発明の乳幼児保護シートの一例を示す模式的な平面図であり、図２は、本発明の乳幼児保護シートを携行バックにした状態を示す斜視図である。
図３は、図１に示す乳幼児保護シートのフード絞り紐を引いた状態の平面図であり、図４は、図１に示す乳幼児保護シートのシート本体の紐体を引いた使用状態の平面図である。
【０００７】
本発明の乳幼児保護シートは、図１に示すように、略円形のシート本体１と、この円形シート本体１の一定幅の外周縁から内側に張り出し状に形成されたフード２とから構成されている。
略円形のシート本体１は、その全周縁に沿って円状の本体部紐体内包路３が一体に形成されており、この本体部紐体内包路３には、両端部が連結されて輪状になった一本の紐体４が摺動状に移動できるように内包されている。なお、シート本体１は、直径が約８０〜９０ｃｍの円形シートである。
【０００８】
シート本体１は、紐体４の取手５、５を引くと、紐体４が本体部紐体内包路３から引き出され、それと共にシート本体１の周縁部にある本体部紐体内包路３がギャザを寄せるように引き絞られて、図２に示すような袋状の携行バックとなる。
【０００９】
シート本体１の取手５、５の近傍に、互いに着脱自在なホック７、７を設けておき、シート本体１を携行バックとした際に、ホック７、７を留めるようにすれば、携行バックの開口を閉じることになり、収納物の落下防止や防犯上有効となる。
【００１０】
本体部紐体内包路３には、図１、図２に示すように、シート本体１を広げ、フード２を上部に配置させた状態で、前記フード２を略等分する前記シート本体の中心を通る軸線を挟んでシート本体１の左右の外周縁部に、紐通し穴６、６が長さ方向に間隔をあけて形成されており、この紐通し穴６、６から、本体部紐体内包路３に内包された紐体４の一部が外側に露出して取手５を形成している。
【００１１】
紐体４の取手５部分は、その外周面を覆うようカバー材８が取付けられ、携行バックの取手５として使用する場合に、手の平にかかる携行バックの荷重を分散させ持ち易くしている。なお、紐体４は、直径が約6〜１２ｍｍの綿、合成皮革、防火繊維製等のものが好ましい。
【００１２】
フード２は、図１に示すように、その基辺９が円形シート本体１の外周縁に沿って縫付けられ、この縫付けられたシート本体１の一定幅の外周縁から内側に張り出し状に形成されている。
また、フード２には、開口縁１０に沿ってフード部紐内包路１１が形成され、このフード部紐内包路１１内にフード絞り紐１２が通され、このフード絞り紐１２の先端には引き具１３が取付けられている。
【００１３】
このフード絞り紐１２は、図３に示すように、その先端に取付けられた引き具１３を引っ張ることにより、フード部紐内包路１１がギャザを寄せるように引き絞られてフード２の開口を狭める。
フード絞り紐１２は、フード部紐内包路１１の中央で縫い付け固定しておくと、引き具１３、１３を左右両方から引いてできるフード２の開口部が左右に片寄らずに中央に位置するので好ましい。
【００１４】
引き具１３は、バネ機能を有するクリップ状のものにすると、引き具１３を引張ってフード部紐内包路１１から引き出したフード絞り紐１２の先端部を、シート本体１やフード２等の所望の部位にクリップ留めできるので、引き出したフード絞り紐１２が絡む等の邪魔になることがなく便利である。
【００１５】
シート本体１及びフード２は、乳幼児を防護するため厚地もしくはキルティング地を使用することが望ましく、防災時の避難に使用することを想定して、外表面を防水・耐火性に優れた材料、内表面を肌に優しい綿、オーガニック、絹等の生地を使用するのが望ましい。
また、シート本体の両面に異なる生地および模様等を施し、携行バック、シートとして使用する際に、いずれの面を外面もしくは内面にして使用（リバーシブル）できるようにしてもよい。
【００１６】
本発明の乳幼児用保護シートは、夜間に発生する災害に対して暗闇でもその所定位置がすぐに特定できるよう、シート本体１、フード２、カバー材８の外表面の全面若しくは部分面あるいは縁部に、さらには、フード絞り紐１２の先端に取付けられる引き具１３に発光素材等を用いるようにするのが望ましい。
さらに、シート本体１の内側面等に、例えば、ポケット状の収納部を形成し、タオル等の小物を収納するようにすることもできる。
【００１７】
次に、本発明の乳幼児用保護シートの具体的な使用例について述べる。
本発明の乳幼児用保護シートは、シート本体１の外周縁部の本体部紐体内包路３から外側に露出した取手５、５を引くと、本体部紐体内包路３がギャザを寄せるように引き絞られてシート本体１を内側に包み込み、図２に示すような携行バックになる。
この状態の携行バックには、哺乳瓶、替えオムツ、タオル、濡れテッシュ等、かなりの量の乳幼児必需品を収納することができ、携行に際しては
取手６を利用して手で持つ、あるいは引き絞って長尺となった取手６をなす紐体の輪の中に腕を通し、肩に掛けて、ショルダーバックやリュック状にして使用することもできる。
また、乳幼児必需品を収納した後、ホックを留めれば収納物の落下防止が図られ、防犯上からも好ましい。
【００１８】
さらに、図１に示すように、シート本体１を広げれば、乳児を寝かせてオムツ替えをするためのシートマットや屋外でのレジャーシート等の敷物としても使用でき、さらにまた、負ぶった乳幼児の背中側から覆うフード付きの亀の子半纏として使用することもできる。
【００１９】
そして、大地震等の突発性災害が発生し避難する場合には、シート本体１を広げ、乳幼児をシート本体１上に仰向けに寝かせて頭部をフード２で覆う。その際、フード２とシート本体１の間に頭部が位置するようにし、フード絞り紐１２の先端の引き具１３を引くことにより、フード部紐内包路１１がギャザを寄せるように引き絞られてフード２の開口部を狭め、シート本体に仰向けに寝かした乳幼児の顔の周りをすっぽりと包み込む（図４参照）。
【００２０】
なお、フード絞り紐１２は、フード部紐内包路１１の中央で縫い付け固定しておけば、引き具１３を両方から互い違いに引いても、フードの開口部が左右のいずれかに片寄ることもなく、シート本体に仰向けに寝かした乳幼児の顔がフード２の開口部中央に位置する。
また、引き具１３を引いてフード部紐内包路１１から引き出したフード絞り紐１２は、その先端にあるクリップ状の引き具１３をシート本体１またはフード２にクリップ留めすることにより、余分なフード絞り紐１２が邪魔にならないようにすることができる（図４参照）。
【００２１】
さらに、シート本体１の外周縁部の本体部紐体内包路３から外側に露出した取手５、５を引くと、本体部紐体内包路３がギャザを寄せるように引き絞られてシート本体１に仰向けに寝かした乳幼児の左右側面および足元を包み込み、全体として、乳幼児は顔の一部を除いてシート本体とフードで覆われて、図４に示すような、おくるみ状態となる。
この状態で、抱き上げたまま、あるいは、引き絞った取手５を形成する紐体の輪の中に腕を通して肩にかける等して身体に密着させた状態で、乳幼児を安全に運ぶことができる。
【００２２】
また、乳幼児を背負い、その上からシート本体１を掛けて取手５を引き、それによってできた紐体４の輪の中に腕を通し、さらに取手５を引くことにより、背負った乳幼児を災害から防護できるフード付きの亀の子半纏としても使用できる。
【００２３】
シート本体１及びフード２の外面は、防水性、防火機能を有する材料で形成することにより、災害からの避難時に降りかかる雨、火の粉等から乳幼児を防護することができる。また、シート本体及びフードが厚地若しくはキルティング地であれば、飛来した固形物が当たっても、その衝撃を和らげることができる。
【産業上の利用可能性】
【００２４】
本発明の乳幼児保護シートは、普段は乳幼児のケアに有用な備品として、突発的災害の避難時には、乳幼児を安全に防護することのできる防災具として利用可能性が高い。
【図面の簡単な説明】
【００２５】
【図１】本発明の乳幼児保護シートの一例を示す模式的な平面図である。
【図２】本発明の乳幼児保護シートを携行バックにした状態を示す斜視図である。
【図３】図１に示す乳幼児保護シートのフード絞り紐を引いた状態の平面図である。
【図４】図１に示す乳幼児保護シートのシート本体の紐体を引いた使用状態の平面図である。
【符号の説明】
【００２６】
１  シート本体
２  フード
３  本体部紐体内包路
４  紐体
５  取手
６  紐通し穴
７  ホック
８  カバー材
９  （フードの）基辺
１０  （フードの）開口縁
１１  フード部紐内包路
１２  フード絞り紐
１３  引き具
【図１】
2007259894.tif 000003
【図２】
2007259894.tif 000004
【図３】
2007259894.tif 000005
【図４】
2007259894.tif 000006